(57)【要約】【課題】  ユーザの事情や画像に起因する原因、あるいはハードウエア上の問題など種々の事情によって、プリント処理を急遽中止する必要性が生じた場合に、プリント動作の中止処理を的確に行うことが可能な画像形成装置を提供することを課題とする。【解決手段】  イメージ転送要求を受け付けると、プリント中止指示部からのプリント中止指示の有無を判別し、当該プリント中止指示が無ければ、イメージ転送の応答を出力するとともに、プリント中止指示があれば、イメージ転送の応答を出力しないイメージ転送要求管理部と、上記イメージ転送要求管理部からのイメージ転送応答に応じて、プリント処理を実行するかプリント処理を中止する処理を実行するイメージ処理部とを備えるように構成して課題を解決する。【選択図】  図１
2005267069.tif 000002
【特許請求の範囲】
【請求項１】
入力されたデータに基づいて画像出力装置に出力するイメージデータを生成する画像生成部と、
上記画像生成部によって生成されたイメージデータを複数格納するイメージ格納部と、
上記イメージ格納部にイメージデータが１つでも格納されると、上記画像出力装置にプリント指示コマンドを出力するプリント指示制御部と、
上記プリント指示制御部から出力されたプリント指示コマンドを格納するプリント処理キュー部と、
上記プリント処理キュー部に格納されたプリント指示コマンドを参照してイメージデータの転送要求を出力するイメージ転送要求部と、
プリント処理を中止すべき事情が発生したときにプリントを中止すべき指示を出力するプリント中止指示部と、
上記イメージ転送要求を受け付けると、上記プリント中止指示部からのプリント中止指示の有無を判別し、当該プリント中止指示が無ければ、イメージ転送の応答を出力するとともに、プリント中止指示があれば、イメージ転送の応答を出力しないイメージ転送要求管理部と、
上記イメージ転送要求管理部からのイメージ転送応答に応じて、プリント処理を実行するかプリント処理を中止する処理を実行するイメージ処理部とを備えたことを特徴とする画像形成装置。
【請求項２】
請求項１に記載の画像形成装置において、前記イメージ処理部は、イメージ転送要求管理部からのイメージ転送応答が、プリント処理を中止すべき応答である場合に、当該プリント処理を中止すべき応答で指定されたページのみを白紙で出力するように構成されていることを特徴とする画像形成装置。
【請求項３】
請求項１に記載の画像形成装置において、前記イメージ処理部は、イメージ転送要求管理部からのイメージ転送応答が、プリント処理を中止すべき応答である場合に、当該プリント処理を中止すべき応答で指定されたページのみを本来の画像と異なるイメージで出力するように構成されていることを特徴とする画像形成装置。
【請求項４】
請求項１に記載の画像形成装置において、前記プリント指示制御部は、イメージ転送要求管理部からのイメージ転送応答が、プリント処理を中止すべき応答である場合に、当該プリント処理を中止すべき応答で指定されたページのみを、本来の出力トレイと異なる出力トレイに出力するように制御することを特徴とする画像形成装置。
【請求項５】
請求項１に記載の画像形成装置において、前記イメージ処理部は、イメージ転送要求管理部からのイメージ転送応答が、プリント処理を中止すべき応答である場合に、当該プリント処理を中止すべき応答で指定されたページのプリントをスキップするように構成されているとともに、前記イメージ転送要求部は、再度スキップしたイメージのイメージ転送要求を出力するように構成されていることを特徴とする画像形成装置。
【請求項６】
請求項１に記載の画像形成装置において、前記プリント指示制御部は、画像出力装置において両面プリントを行う場合、イメージ格納部に両面のイメージデータが格納された時点で、画像出力装置にプリント指示コマンドを出力することを特徴とする画像形成装置。
【請求項７】
請求項１に記載の画像形成装置において、前記画像生成部は、イメージ格納部へのイメージデータの格納が完了していないが、前記プリント指示制御部に擬似格納通知を出力するように構成されているとともに、前記プリント指示制御部は、上記画像生成部からの擬似格納通知を受けて、画像出力装置にプリント指示コマンドを出力するように構成されていることを特徴とする画像形成装置。
【請求項８】
請求項１に記載の画像形成装置において、前記イメージ転送要求部は、プリント指示制御部から送られてきたプリント指示コマンドの順番と異なる順番でイメージ転送要求を発行するように構成されていることを特徴とする画像形成装置。
【請求項９】
入力されたデータに基づいてプリント処理を行う画像出力装置を制御するための制御装置において、
プリント処理を中止すべき事情が発生したときにプリントを中止すべき指示を出力するプリント中止指示部と、
前記画像出力装置からイメージデータの転送要求があった場合に、前記プリント中止指示部からのプリント中止指示の有無によって、画像出力装置へのイメージデータの転送を制御するイメージ転送要求管理部とを備えたことを特徴とする制御装置。
【発明の詳細な説明】
【技術分野】
【０００１】
この発明は、電子写真方式などを適用したプリンタや複写機、ファクシミリあるいはこれらの機能を兼ね備えた複合機等の画像形成装置及びこれに用いる制御装置に関し、特にプリンタや複写機においてプリント処理を実行する際に、コントローラからプリンタへのプリント指示に加えて、緊急にプリントを停止する処理を実行可能とした画像形成装置及びこれに用いる制御装置に関するものである。
【背景技術】
【０００２】
【特許文献１】特許第２８４０３３３号公報
【０００３】
従来、この種の電子写真方式などを適用したプリンタや複写機、ファクシミリあるいはこれらの機能を兼ね備えた複合機等の画像形成装置は、機能的に大別すると、制御装置としてのコントローラと、画像出力装置としてのプリンタとから構成されている。コントローラは、図１５に示すように、プリントしたいページのイメージの準備が完了すると（ステップ５０１）、プリンタにプリント指示コマンドを送付する（ステップ５０２）。その後、コントローラは、プリンタからイメージ転送要求を受け取ると、要求されたイメージをプリンタに転送するように動作する（ステップ５０３）。
【０００４】
一方、プリンタは、図１６に示すように、コントローラからプリント指示コマンドを受け取ると、プリントスタートコマンドをコントローラに送信して（ステップ６０１）、コントローラからイメージデータを受け取ると、プリント処理を実行するように構成されている（ステップ６０２）。
【０００５】
かかる画像形成装置において、コントローラとプリンタとの間でシリアル通信を効率良く行うことによって、プリント速度を上げることを可能とする技術としては、例えば、特許第２８４０３３３号公報に開示されたものがある。
【０００６】
この特許第２８４０３３３号公報に係る画像形成装置は、ホストシステムに接続された画像形成装置において、前記ホストシステムから送信されてきたコードを画像データに変換するとともに、１頁分の画像データが準備される度にプリントスタート命令をシリアル通信方式によって送信する画像データ処理部と、前記画像データ処理部に接続され、前記プリントスタート命令を複数頁分格納可能なメモリを備え、前記シリアル通信方式によって前記画像データ処理部から送信されてきたプリントスタート命令を受信し、受信したプリントスタート命令を前記メモリに順次格納し、格納されたプリントスタート命令を読み出して、画像形成装置各部における画像形成動作を制御するシーケンス制御部とを設けるように構成したものである。
【発明の開示】
【発明が解決しようとする課題】
【０００７】
しかしながら、上記従来技術の場合には、次のような問題点を有している。すなわち、上記特許第２８４０３３３号公報に係る画像形成装置の場合には、ユーザの事情によってページ指定のプリント処理を急遽停止したい場合や、高速マシンにおいて原稿の画像をスキャンした後に直ちにプリント処理を開始したが、偽造防止チェック等の画像に起因する事情でプリント処理を急遽停止する必要性が生じた場合、あるいはコントローラやプリンタ側でハードウエア上の問題が検出され、途中でイメージデータの転送が不可能となり、そのままでは白紙の画像が出力されてしまう場合など、プリント処理を急遽中止する必要性が生じた場合に、プリント動作の中止処理を的確に行えないという問題点を有していた。
【０００８】
更に説明すると、上記特許第２８４０３３３号公報に係る画像形成装置の場合には、コントローラ側で１頁分の画像データが準備される度に、プリントスタート命令をプリンタ側に送付し、プリンタ側でプリントスタート命令を受信すると、直ちにプリント処理を実行するように構成されているため、コントローラ側で画像データの準備が完了すると、プリント処理が実行されてしまい、プリント処理を急遽中止する必要性が生じた場合に、プリント動作の中止処理を的確に、特にユーザが希望する位置で的確に行えないという問題点を有していた。
【０００９】
そこで、この発明は、上記従来技術の問題点を解決するためになされたものであり、その目的とするところは、ユーザの事情や画像に起因する原因、あるいはハードウエア上の問題など種々の事情によって、プリント処理を急遽中止する必要性が生じた場合に、プリント動作の中止処理を的確に行うことが可能な画像形成装置及びこれに用いる制御装置を提供することにある。
【課題を解決するための手段】
【００１０】
上記の課題を解決するため、請求項１に記載された発明は、入力されたデータに基づいて画像出力装置に出力するイメージデータを生成する画像生成部と、上記画像生成部によって生成されたイメージデータを複数格納するイメージ格納部と、上記イメージ格納部にイメージデータが１つでも格納されると、上記画像出力装置にプリント指示コマンドを出力するプリント指示制御部と、上記プリント指示制御部から出力されたプリント指示コマンドを格納するプリント処理キュー部と、上記プリント処理キュー部に格納されたプリント指示コマンドを参照してイメージデータの転送要求を出力するイメージ転送要求部と、プリント処理を中止すべき事情が発生したときにプリントを中止すべき指示を出力するプリント中止指示部と、上記イメージ転送要求を受け付けると、上記プリント中止指示部からのプリント中止指示の有無を判別し、当該プリント中止指示が無ければ、イメージ転送の応答を出力するとともに、プリント中止指示があれば、イメージ転送の応答を出力しないイメージ転送要求管理部と、上記イメージ転送要求管理部からのイメージ転送応答に応じて、プリント処理を実行するかプリント処理を中止する処理を実行するイメージ処理部とを備えたことを特徴とする画像形成装置である。
なお、上記入力されたデータとしては、画像データやポストスクリプト等のコードデータが挙げられる。
また、本発明において「中止」又は「停止」とは、いずれもプリント処理を止める行為を意味しており、特に区別して使用しておらず、その後、プリント処理を再開するか、再開しないかは任意である。「キャンセル」という用語についても同様である。
【００１１】
また、請求項２に記載された発明は、請求項１に記載の画像形成装置において、前記イメージ処理部は、イメージ転送要求管理部からのイメージ転送応答が、プリント処理を中止すべき応答である場合に、当該プリント処理を中止すべき応答で指定されたページのみを白紙で出力するように構成されていることを特徴とする画像形成装置である。
【００１２】
さらに、請求項３に記載された発明は、請求項１に記載の画像形成装置において、前記イメージ処理部は、イメージ転送要求管理部からのイメージ転送応答が、プリント処理を中止すべき応答である場合に、当該プリント処理を中止すべき応答で指定されたページのみを本来の画像と異なるイメージで出力するように構成されていることを特徴とする画像形成装置である。
【００１３】
又、請求項４に記載された発明は、請求項１に記載の画像形成装置において、前記プリント指示制御部は、イメージ転送要求管理部からのイメージ転送応答が、プリント処理を中止すべき応答である場合に、当該プリント処理を中止すべき応答で指定されたページのみを、本来の出力トレイと異なる出力トレイに出力するように制御することを特徴とする画像形成装置である。
【００１４】
更に、請求項５に記載された発明は、請求項１に記載の画像形成装置において、前記イメージ処理部は、イメージ転送要求管理部からのイメージ転送応答が、プリント処理を中止すべき応答である場合に、当該プリント処理を中止すべき応答で指定されたページのプリントをスキップするように構成されているとともに、前記イメージ転送要求部は、再度スキップしたイメージのイメージ転送要求を出力するように構成されていることを特徴とする画像形成装置である。
【００１５】
また、請求項６に記載された発明は、請求項１に記載の画像形成装置において、前記プリント指示制御部は、画像出力装置において両面プリントを行う場合、イメージ格納部に両面のイメージデータが格納された時点で、画像出力装置にプリント指示コマンドを出力することを特徴とする画像形成装置である。
【００１６】
さらに、請求項７に記載された発明は、請求項１に記載の画像形成装置において、前記画像生成部は、イメージ格納部へのイメージデータの格納が完了していないが、前記プリント指示制御部に擬似格納通知を出力するように構成されているとともに、前記プリント指示制御部は、上記画像生成部からの擬似格納通知を受けて、画像出力装置にプリント指示コマンドを出力するように構成されていることを特徴とする画像形成装置である。
【００１７】
又、請求項８に記載された発明は、請求項１に記載の画像形成装置において、前記イメージ転送要求部は、プリント指示制御部から送られてきたプリント指示コマンドの順番と異なる順番でイメージ転送要求を発行するように構成されていることを特徴とする画像形成装置である。
【００１８】
更に、請求項９に記載された発明は、入力されたデータに基づいてプリント処理を行う画像出力装置を制御するための制御装置において、
プリント処理を中止すべき事情が発生したときにプリントを中止すべき指示を出力するプリント中止指示部と、
前記画像出力装置からイメージデータの転送要求があった場合に、前記プリント中止指示部からのプリント中止指示の有無によって、画像出力装置へのイメージデータの転送を制御するイメージ転送要求管理部とを備えたことを特徴とする制御装置である。
【発明の効果】
【００１９】
この発明によれば、ユーザの事情や画像に起因する原因、あるいはハードウエア上の問題など種々の事情によって、プリント処理を急遽中止する必要性が生じた場合に、プリント動作の中止処理を的確に行うことが可能な画像形成装置及びこれに用いる制御装置を提供することができる。
【発明を実施するための最良の形態】
【００２０】
以下に、この発明の実施の形態について図面を参照して説明する。
【００２１】
実施の形態１
図２はこの発明の実施の形態１に係る画像形成装置としてのデジタル複合機（マルチファンクション機）の外観構成を示すものである。また、図３はこのデジタル複合機の全体構成を示すものである。
【００２２】
このデジタル複合機は、原稿の画像をスキャナーで読み取り、当該スキャナーで読み取られた原稿の画像を複写するコピーモードと、パーソナルコンピュータ等のホストコンピュータなどから送られてくるポストスクリプト（PostScript）等のコードデータ又は画像データに基づいてプリントするプリントモードと、原稿の画像をスキャナーで読み取って送信したり、電話回線を介して送られてくる画像データをプリントしたりするＦＡＸモードとに切替えて、各モードに基づく動作を実行することができるように構成されている。
【００２３】
図２及び図３において、１はデジタル複合機の本体を示すものであり、このデジタル複合機本体１の上部には、原稿２を１枚ずつ分離した状態で自動的に搬送する原稿自動搬送装置（ＡＤＦ）３と、当該原稿自動搬送装置３によって搬送される原稿２の画像を読み取るスキャナー４が配設されている。このスキャナー４は、図３に示すように、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して読み取るように構成されている。
【００２４】
また、上記デジタル複合機本体１の内部は、主としてプリンタ５０として機能するように構成されているが、このプリンタ５０は、プリントモードに限らず、コピーモードやファックスモード等においても、用紙に画像を形成する画像出力装置（ＩＯＴ）として機能するものである。なお、上記プリンタ５０は、画像出力装置（ＩＯＴ）としてのハードウエア的な構成ばかりではなく、後述するように、コントローラとの間で通信を行い、当該コントローラからの指示に基づいて、画像出力動作を制御する機能をも兼ね備えているものである。
【００２５】
上記スキャナー４によって読み取られた原稿２の画像データは、必要に応じてＩＰＳ  （Image   Processing  System）１２によって所定の画像処理が施されて、後述するイメージ格納部に一時的に記憶された後、所定のタイミングでイメージデータとしてプリンタ５０に送られる。また、パーソナルコンピュータ等のホストコンピュータなどから送られてくるコードデータは、後述する画像生成部によってプリンタ５０に出力可能なフォーマットに変換された後、所定のタイミングでイメージデータとしてプリンタ５０に送られる。
【００２６】
プリンタ５０では、イメージデータに基づいて、ＲＯＳ（Raster  Output  Scanner ）１３によって感光体ドラム１４上に画像露光が施され、静電潜像が形成される。上記ＲＯＳ１３は、画像情報に応じてレーザービームを出射する半導体レーザー１５と、当該半導体レーザー１５から出射されるレーザービームを走査するポリゴンミラー１６と、当該ポリゴンミラー１６によって走査されるレーザービームを、感光体ドラム１４上に露光するためのミラー１７、１８とから構成されている。上記感光体ドラム１４は、ＲＯＳ１３による画像露光に先立って、帯電ロールやスコロトロン等からなる一次帯電器１９によって、所定極性の所定の電位に一様に帯電された後、上述したように、ＲＯＳ１３によって原稿２の画像が露光され、静電潜像が形成される。上記感光体ドラム１４上に形成された静電潜像は、現像装置２０によって現像されてトナー像となる。このトナー像は、転写コロトロン２１の帯電によって記録媒体としての記録用紙２２上に転写されるとともに、当該トナー像が転写された記録用紙２２は、分離コロトロン２３の除電によって感光体ドラム１４から分離される。上記感光体ドラム１４からトナー像が転写された記録用紙２２は、複写機本体１の内部に複数配設された給紙手段としての給紙トレイ２４、２５、２６、２７、２８、２９のいずれかより、給紙ロール３０によって給紙され、搬送ロール３１及びプリレジロール３２を介して、レジストゲート３３まで一旦搬送されて停止する。そして、上記記録用紙２２は、感光体ドラム１４の表面に形成されるトナー像と同期して開くレジストゲート３３を通過して、当該レジストゲート３３の下流側に配設されたレジストロール３４によって、感光体ドラム１４の表面へと搬送され、上述したように、当該感光体ドラム１４の表面に形成されたトナー像が転写された後、感光体ドラム１４の表面から分離される。
【００２７】
上記デジタル複写機は、給紙トレイ２４、２５、２６、２７、２８、２９からの用紙搬送経路が、可能な限り短く形成されており、記録用紙２２の搬送を高速に行うなどにより、高い生産性（単位時間当たりのコピー枚数）を実現している
【００２８】
上記感光体ドラム１４の表面から分離された記録用紙２２は、定着装置３５へと搬送され、当該定着装置３５によって記録用紙２２上に熱及び圧力でトナー像が定着される。このトナー像が定着された記録用紙２２は、定着装置３５の出口ロール３６によって、通常の片面複写の場合には、そのまま排出ロール３７により機外の排出トレイ３８上に排出される。また、両面複写の場合には、片面にトナー像が定着された記録用紙２２は、そのまま排出ロール３７によって機外に排出されずに、反転ゲート３９によって下向きに搬送方向が変更され、３つのロールが圧接されたトリロール４０及び反転ロール４１によって、反転通路４２へと一旦搬送される。そして、上記記録用紙２２は、今度は逆転する反転ロール４１及び両面ロール４３によって表裏が反転されて両面用通路４４へと搬送され、この両面用通路４４からプリレジロール３２を介して、レジストゲート３３まで一旦搬送されて停止し、上述したように、当該レジストゲート３３及びレジストロール３４によって感光体ドラム１４上のトナー像と同期して搬送され、当該記録用紙２２の裏面にトナー像の転写・定着工程が行われた後、排出ロール３７によって排出トレイ３８上に排出される。
【００２９】
なお、トナー像の転写工程が終了した後の感光体ドラム１４の表面は、クリーニング装置４５によって残留トナーや紙粉等が除去され、次の画像形成工程に備える。
【００３０】
図４は上記の如く構成されるデジタル複合機の画像形成部を拡大して示したものである。
【００３１】
感光体ドラム１４は、図４に示すように、帯電ロールやスコロトロンからなる一次帯電器１９によって、所定極性の所定の電位に一様に帯電された後、当該感光体ドラム１４の表面には、ＲＯＳ１３によって原稿２の画像が走査露光され、静電潜像が形成される。この感光体ドラム１４上に形成された静電潜像は、現像装置２０によって現像されてトナー像となり、このトナー像は、転写前帯電器４６による補助帯電を受けた後、前述したように、所望の給紙トレイ２４〜２９から給紙・搬送される記録用紙２２上に、転写コロトロン２１の帯電によって転写されるとともに、当該トナー像が転写された記録用紙２２は、分離コロトロン２３の除電によって感光体ドラム１４上から分離される。この感光体ドラム１４上から分離された記録用紙２２は、定着装置３５へ搬送され、当該定着装置３５によってトナー像が定着されて、片面複写の場合には、そのまま排出トレイ３８上に排出され、両面複写の場合には、裏面への画像形成工程が繰り返される
【００３２】
なお、トナー像の転写工程が終了した後の感光体ドラム１４の表面は、クリーニング装置４５のクリーニングブラシ４７等によって残留トナーや紙粉等が除去された後、イレーズランプ４８による露光を受け、残留電荷が消去されて、次の画像形成工程に備えるように構成されている。
【００３３】
図５はこの発明の実施の形態１に係るデジタル複合機の制御回路を示すものである。
【００３４】
図５において、５１はデジタル複合機を制御する制御装置としてのコントローラを示すものであり、このコントローラ５１は、当該コントローラ５１自体を制御するとともにデジタル複合機の動作を制御するＣＰＵ５２と、このＣＰＵ５２とバスブリッジ５３を介して接続されたメモリ５４とを備えている。このメモリ５４は、ＣＰＵ５２で実行すべきプログラムが記憶されたＲＯＭや、画像データを複数のページにわたって展開したイメージデータを格納することが可能なイメージ格納部として機能するＲＡＭ等からなる描画メモリ５４ａを備えるように構成されている。
【００３５】
また、上記ＣＰＵ５２は、バス５５を介して、ユーザーインターフェイス（ＵＩ) ５６、スキャナーインターフェイス５７、プリンタインターフェイス５８、ファックスインターフェイス５９と接続されており、スキャナーインターフェース５７はスキャナー４に、プリンタインターフェース５８はプリンタ５０に、ファックス（ＦＡＸ）インターフェース５９はファックス（ＦＡＸ）６０にそれぞれ接続されている。なお、ファックス６０は、通信回線を介して送られてくる画像データを展開したりスキャナー４で読み取られた画像データを圧縮したりして、通信回線を介して送信するためのものである。
【００３６】
さらに、上記ＣＰＵ５２は、バス５５及びネットワークインターフェース６１を介して、ＬＡＮや電話回線あるいインターネット等からなるネットワーク６２によってパーソナルコンピュータ（ＰＣ）６３やワークステーション（ＷＳ）６４などと接続可能となっている。
【００３７】
上記ユーザーインターフェイス（ＵＩ) ５６は、デジタル複合機によって実行されるプリントモードや、コピーモード、ファックスモード等を選択したり、プリントモードやコピーモードなどの場合、プリントする用紙を給紙する給紙トレイの選択、プリント枚数、あるいはコピー倍率等の選択を行い、スタートボタンを押すことによって、プリント動作等を開始するように構成されている。
【００３８】
また、この実施の形態では、上記ユーザーインターフェイス（ＵＩ）５６には、ユーザがプリント処理を急遽中止したい場合など、プリント処理の中止を指示するプリント中止指示手段としてのプリント中止ボタン５６ａが設けられている。なお、上記プリント中止ボタン５６ａは、プリント処理を中止するページや用紙を、個別に指示したり、何ページ以降のプリント処理をすべて中止するなど、任意の中止指示が可能となっている。
【００３９】
さらに、図５に示すように、デジタル複合機がパーソナルコンピュータ（ＰＣ）６３などと接続されて、当該パーソナルコンピュータ（ＰＣ）６３のプリンタとして機能する場合には、プリンタドライバがインストールされたパーソナルコンピュータ（ＰＣ）６３によってプリント指示が出されるが、このパーソナルコンピュータ（ＰＣ）６３のアイコンに設けられるプリント中止ボタンによっても、プリント処理の中止を指示することが可能である。
【００４０】
ところで、この実施の形態では、入力されたデータに基づいて画像出力装置に出力するイメージデータを生成する画像生成部と、上記画像生成部によって生成されたイメージデータを複数格納するイメージ格納部と、上記イメージ格納部にイメージデータが１つでも格納されると、上記画像出力装置にプリント指示コマンドを出力するプリント指示制御部と、上記プリント指示制御部から出力されたプリント指示コマンドを格納するプリント処理キュー部と、上記プリント処理キュー部に格納されたプリント指示コマンドを参照してイメージデータの転送要求を出力するイメージ転送要求部と、プリント処理の中止を指示するプリント中止指示部と、上記イメージ転送要求を受け付けると、上記プリント中止指示部からのプリント中止指示の有無を判別し、当該プリント中止指示が無ければ、イメージ転送の応答を出力するとともに、プリント中止指示があれば、イメージ転送の応答を出力しないイメージ転送要求管理部と、上記イメージ転送要求管理部からのイメージ転送応答に応じて、プリント処理を実行するかプリント処理を中止する処理を実行するイメージ処理部とを備えるように構成されている。
【００４１】
すなわち、この実施の形態に係るデジタル複合機は、図１に示すように、大別して、制御装置としてのコントローラ５１と、画像出力装置としてのプリンタ５０とから構成されている。これらコントローラ５１とプリンタ５０は、シリアル通信方式又はパラレル通信方式を採用した通信線６５を介して互いに通信可能に接続されている。なお、図１では、コントローラ５１とプリンタ５０との間が複数の線で結ばれているが、これは、パラレル通信方式であることを意味するものではなく、コントローラ５１とプリンタ５０との間で通信されるコマンド等を便宜上示しているにすぎない。上記コントローラ５１とプリンタ５０は、例えば、図２及び図３に示すように、デジタル複合機本体１に一体的に組み付けられたものであっても良い。また、上記コントローラ５１とプリンタ５０は、互いに別体として構成されていてもよく、例えば、プリンタ５０を動作させるドライバ用のソフトウエアがインストールされたパーソナルコンピュータ（ＰＣ）６３等をコントローラ５１として用いても良い。
【００４２】
上記コントローラ５１は、図１に示すように、画像生成部７０と、イメージ格納部７１と、プリント指示制御部７２と、イメージ転送要求管理部７３と、プリント中止指示部７４とを備えている。
【００４３】
上記画像生成部７０は、図５に示すように、パーソナルコンピュータ（ＰＣ）６３等から入力されるポストスクリプト等からなるコードデータや画像データ、スキャナー４によって読み込まれた原稿の画像データ、あるいは電話回線やＬＡＮ等のネットワーク６２を介して送られてくる画像データを、プリンタ５０に出力できるフォーマットに変換して、イメージデータを生成するためのものである。この画像生成部７０は、図５に示すように、ＣＰＵ５２によって実行されるソフトウエアや、図示しない画像データ展開回路（Ｖｉｄｅｏ  ＡＳＩＣ）等のハードウエアによって構成され、入力されたポストスクリプト等のコードデータや画像データを、プリンタ５０に出力できるフォーマットに変換して、イメージデータを生成するように構成されている。
【００４４】
また、上記イメージ格納部７１は、図５に示すように、例えば、メモリ５４の内部に設けられ、画像生成部７０で生成されたイメージデータを、複数ページ分にわたって記憶することが可能な描画メモリ５４ａによって構成されている。なお、このイメージ格納部７１は、ハードディスク駆動装置（ＨＤＤ）等によって構成しても良い。
【００４５】
さらに、上記プリント指示制御部７２は、ユーザーインターフェイス（ＵＩ) ５６に設けられたコピー開始ボタン（図示せず）が押されたり、パーソナルコンピュータ６３のディスプレイ上に表示されるプリント処理を開始するプリント開始アイコンなどが操作された後、イメージ格納部７１にイメージデータが少なくとも１つ格納されたことを検知すると、プリンタ５０に対してプリント指示コマンド８３を出力するものである。このプリント指示コマンド８３は、１ページ単位で出力されるプリント動作を指示するコマンドからなる。また、プリント指示制御部７２からは、プリント指示コマンド８３に先立って、プリントすべき用紙のサイズや文字のフォント等を指示するプリント属性指定コマンド８４も出力される。
【００４６】
なお、上記プリント指示制御部７２は、イメージ格納部７１にイメージデータが少なくとも１つ格納されたことの通知によって、当該イメージデータの格納を検知して、プリンタ５０に対してプリント指示コマンド８３を出力するが、画像生成部７０は、イメージ格納部７１へのイメージデータの格納が完了していなくとも、イメージ格納を指示する信号か、あるいは当該画像生成部７０でイメージデータの生成を開始する信号などの擬似格納通知をもって、イメージ格納部７１へのイメージデータの格納が完了したものとみなして、プリント指示制御部７２に擬似格納通知を出力するように構成しても良い。この場合、プリント指示制御部７２は、画像生成部７０からの擬似格納通知を受けて、プリンタ５０にプリント指示コマンドを出力するように構成される。こうすることによって、プリント指示コマンド８３を早く出力することができ、プリント開始までの時間を短縮することができる。
【００４７】
さらに、上記イメージ転送要求管理部７３は、プリンタ５０からイメージ要求ステータス８５を受け付けた際に、イメージデータをプリンタ５０に出力可能か否かを判別するとともに、プリント中止指示部７４からプリント処理の中止が指示されていないかを含めて判別し、プリンタ５０に対してイメージデータを出力することが可能であると判別すると、イメージデータの転送を要求する応答コマンド８６を、プリンタ５０の後述するコマンド解釈部７５を介してイメージ処理部８０に発行するものである。上記イメージ転送要求管理部７３は、プリンタ５０からイメージ要求ステータス８５を受け付けた際に、プリント中止指示部７４からプリント処理の中止指示を受け付けており、イメージデータをプリンタ５０に出力することが不可能であると判別すると、イメージ要求応答コマンド８６として、プリント処理を中止する旨の応答を、プリンタ５０のコマンド解釈部７５を介してイメージ処理部８０に発行するように構成されている。
【００４８】
一方、上記プリンタ５０は、図１に示すように、コマンド解釈部７５と、ディクショナリー部７６と、プリント処理キュー部７７と、イメージ転送要求部７８と、ステータス送信部７９と、イメージ処理部８０とを備えるように構成されている。
【００４９】
上記コマンド解釈部７５は、コントローラ５１からプリント指示コマンド８３やプリント属性指示コマンド８４等の種々のコマンドを受け付け、これら種々のコマンドを解釈するためのものである。また、このコマンド解釈部７５は、コントローラ５１から受け付けたプリント属性指示コマンド８４を解釈すると、解釈したプリント属性をディクショナリー部７６に一旦格納するようになっている。
【００５０】
また、上記プリント処理キュー部７７は、コントローラ５１のプリント指示制御部７２から出力されたプリント指示コマンド８３を、プリント属性と関連付けたプリント情報８１として、１ページ分毎に順次格納するものである。
【００５１】
さらに、上記イメージ転送要求部７８は、プリント処理キュー部７７内に格納されたプリント指示コマンド８３を参照して、ステータス送信部７９を介してコントローラ５１にイメージ要求ステータス８５を出力するように構成されている。
【００５２】
また、上記イメージ処理部８０は、コントローラ５１のイメージ転送要求管理部７３から送られてくるイメージ要求応答コマンド８６に応じて、プリント処理キュー部７７を介してイメージ転送用同期信号をイメージ転送要求部７８に送り、イメージ要求応答コマンド８６がプリント処理の中止指示であれば、指定されたイメージ以降のすべてのプリント処理、あるいは当該指定されたイメージのみのプリント処理を中止するように、プリント処理キュー部７７内に格納されたプリント情報８１を処理するように構成されている。
【００５３】
さらに、上記イメージ処理部８０は、イメージ転送要求管理部７３からのイメージ転送応答が、プリント処理を中止すべき応答である場合に、当該プリント処理を中止すべき応答で指定されたページのみを白紙で出力するように構成しても良い。
【００５４】
又、上記イメージ処理部８０は、イメージ転送要求管理部７３からのイメージ転送応答が、プリント処理を中止すべき応答である場合に、当該プリント処理を中止すべき応答で指定されたページのみを本来の画像と異なるイメージで出力するように構成しても良い。
【００５５】
更に、上記イメージ処理部８０は、イメージ転送要求管理部７３からのイメージ転送応答が、プリント処理を中止すべき応答である場合に、当該プリント処理を中止すべき応答で指定されたページのプリントをスキップするように構成するとともに、前記イメージ転送要求部７８は、再度スキップしたイメージのイメージ転送要求を出力するように構成しても良い。
【００５６】
以上の構成において、この実施の形態に係るデジタル複合機では、次のようにして、ユーザの事情や画像に起因する原因、あるいはハードウエア上の問題など種々の事情によって、プリント処理を急遽中止する必要性が生じた場合に、プリント動作の中止処理を的確に行うことが可能となっている。
【００５７】
すなわち、この実施の形態に係るデジタル複合機では、図５に示すように、原稿２の画像をスキャナー４で読み取り、当該スキャナー４で読み取られた原稿２の画像を複写するコピーモードと、パーソナルコンピュータ（ＰＣ）６３等のホストコンピュータなどから送られくるコードデータに基づいてプリントするプリントモードと、原稿２の画像をスキャナー４で読み取って送信したり、電話回線等のネットワーク６２を介して送られてくる画像データをプリントしたりするＦＡＸモードとに切替えて、各モードに基づくプリント動作を実行する。
【００５８】
いま、このデジタル複合機では、コントローラ５１にコードデータや画像データが入力されてくると、これらのコードデータや画像データは、図１に示すように、コントローラ５１の画像生成部７０によって、プリンタ５０に出力可能なフォーマットに変換され、イメージデータ８２が生成される。この画像生成部７０で生成されたイメージデータ８２は、ページ毎にイメージ格納部７１に格納される。
【００５９】
図６は、上記デジタル複写機において、３ページの画像をプリントする第１のジョブと、４ページの画像をプリントする第２のジョブを、所定サイズの記録用紙２２の片面にプリントする処理を実行する場合を模式的に示したものである。
なお、上記画像生成部７０で生成されたイメージデータ８２は、図６に示すように、ページ毎にイメージ格納部７１に順次格納される。
【００６０】
すると、上記コントローラ５１は、図７に示すように、画像生成部７０によってイメージデータが生成され、当該イメージデータ８２がイメージ格納部７１に格納されて、プリントしたいページのイメージデータ８２の準備が完了したことが、プリント指示制御部７２によって判定されると（ステップ１０１）、当該プリント指示制御部７２からプリンタ５０に対して、プリント指示コマンド８３が出力（送付）される（ステップ１０２）。次に、コントローラ５１は、イメージ転送要求管理部７３によって、プリンタ５０からのイメージ転送要求としてのイメージ要求ステータス８５が送られてきたか否かを判別するとともに、プリンタ５０からのイメージ転送要求としてのイメージ要求ステータス８５が送られてきたと判別した場合には、プリント中止指示部７４からの信号によりプリント処理を中止（キャンセル）する状況が発生したか否かを判別する（ステップ１０３）。
【００６１】
ここで、上記イメージ転送要求管理部７３は、プリント中止指示部７４からプリント処理を中止する旨の指示があった否かによって、プリント処理を中止（キャンセル）する状況が発生したか否かを判別する。また、このイメージ転送要求管理部７３による判別は、プリンタ５０からイメージ要求ステータス８５が送られてくるたびに実行される。プリント中止指示部７４は、例えば、ユーザの事情によってページ指定のプリント処理を急遽停止したい場合など、ユーザによってプリント中止ボタン５６ａが操作された場合に、プリント処理を中止する旨の指示を、イメージ転送要求管理部７３に出力する。また、上記プリント中止指示部７４は、例えば、高速マシンにおいて原稿２の画像をスキャナー４によってスキャンした後に、直ちにプリント処理を開始したが、イメージ格納部７１に格納されたイメージデータ８２をチェックした結果、偽造防止チェック等の画像に起因する事情でプリント処理を急遽停止する必要性が生じた場合や、コントローラ５１やプリンタ５０側でハードウエア上の問題が検出され、途中でイメージデータ８２の転送が不可能となった場合など、プリント処理を急遽中止する必要性が生じた場合にも、プリント処理を中止する旨の指示を、イメージ転送要求管理部７３に出力するようになっている。
【００６２】
上記イメージ転送要求管理部７３は、プリント処理を中止する状況が発生していないと判別した場合には、イメージ転送を行うことを示すイメージ要求応答コマンド８６をプリンタ５０に送付する（ステップ１０４）。続いて、コントローラ５１は、プリンタ５０からイメージを転送するタイミング信号を受けて、プリンタ５０に対して第１のジョブの１ページ目のイメージデータ８２を転送する（ステップ１０５）。
【００６３】
一方、上記イメージ転送要求管理部７３は、プリント処理を中止する状況が発生した場合には、イメージ転送要求をキャンセルすることを示すイメージ要求応答コマンドをプリンタ５０に送付する（ステップ１０６）。
【００６４】
これに対して、プリンタ５０内のコマンド解釈部７５は、図８に示すように、コントローラ５１からプリント指示コマンド８３が送付されたか否かを判別し（ステップ２０１）、コントローラ５１からプリント指示コマンド８３が送付されていない場合には、コントローラ５１からプリント指示コマンド８３が送付されるまで待機することになる。次に、上記コマンド解釈部７５は、コントローラ５１からプリント指示コマンド８３が送付されたことを判別すると、当該プリント指示コマンド８３に先立って送付されるプリント属性指示コマンド８４によって指示され、ディクショナリー部７６に記憶されている属性情報を付加して、プリント情報８１としてプリント処理キュー部７７に格納する（ステップ２０２）。
【００６５】
図９は、プリンタ５０における第１及び第２のジョブのプリント処理が途中まで進行している状態を示している。この図９では、第１のジョブの１ページ目が既にプリントされて記録用紙２２が外部に排出されているとともに、第１のジョブの２ページ目と３ページ目のイメージデータ８２に、第１のジョブのプリント属性が付加された状態で、第２のジョブ２の１ページ目のイメージデータ８２に、第２のジョブ２のプリント属性が付加された状態で、プリント処理キュー部７７に格納されている状態を示している。
【００６６】
また、上記プリンタ５０のイメージ転送要求部７８は、図１０に示すように、プリント処理キュー部７７内にプリント情報８２があるか否かを判別し（ステップ３０１）、プリント処理キュー部７７内にプリント情報８２がない場合には、当該プリント処理キュー部７７内にプリント情報が格納されるまで待機する。次に、上記イメージ転送要求部７８は、プリント処理キュー部７７内にプリント情報８２が格納されると、当該プリント処理キュー部７７内に格納されたプリント情報８２を参照して、コントローラ５１にイメージ要求ステータス８５を送付するとともに（ステップ３０２）、プリント処理キュー部７７内に複数のプリント情報８２がある場合には、プリンタ５０の機構を考慮して、最適なイメージ要求ステータスをコントローラ５１に転送する（ステップ３０２）。
【００６７】
ここで、「プリンタ５０の機構を考慮して」とは、両面プリントなどの場合に、連続したページではなく、１ページおきの表面の画像を先にプリントするプリンタ５０などの場合には、１ページおきの表面の画像を送付するなど、プリンタの事情を考慮してという意味である。
【００６８】
さらに、上記プリンタ５０内のイメージ処理部８０は、図１１に示すように、コントローラ５１にイメージ要求ステータス８５を出力したか否かを判別し（ステップ４０１）、コントローラ５１にイメージ要求ステータス８５を出力していない場合には、当該コントローラ５１にイメージ要求ステータス８５を出力するまで待機する。次に、イメージ処理部８０は、コントローラ５１にイメージ要求ステータス８５を出力したことを判別すると、コントローラ５１からプリント指示コマンド８３に対する応答が規定時間内にあったか否かを判別し（ステップ４０２）、コントローラ５１からプリント指示コマンド８３に対する応答が規定時間内になかった場合には、タイムアウトエラーとして処理し（ステップ４０３）、プリント動作を終了する。
【００６９】
また、上記イメージ処理部８０は、コントローラ５１からプリント指示コマンド８３に対する応答が規定時間内にあった場合には、当該コントローラ５１からの応答がイメージ転送を許可する応答か否かを判別し（ステップ４０４）、イメージ転送を許可する応答でなかった場合には、キャンセルされたイメージのプリントを中止する処理を実行して（ステップ４０５）、プリント動作を終了する。
【００７０】
さらに、上記イメージ処理部８０は、コントローラ５１からの応答が、イメージ転送を許可する応答であった場合には、コントローラ５１にイメージを転送するタイミング信号を送信し、イメージデータ８２を受け取り、プリント処理を実行して（ステップ４０６）、プリント動作を終了する。
【００７１】
ところで、上記実施の形態に係るデジタル複合機において、プリント処理を急遽中止する場合の動作について説明する。
【００７２】
上記プリント中止指示部７４は、上述したように、例えば、ユーザの事情によってページ指定のプリント処理を急遽停止したい場合など、ユーザによってプリント中止ボタン５６ａが操作された場合や、デジタル複合機が高速マシンである場合、原稿２の画像をスキャナー４によってスキャンした後に、直ちにプリント処理を開始したが、イメージ格納部７１に格納されたイメージデータ８２をチェックした結果、偽造防止チェック等の画像に起因する事情でプリント処理を急遽停止する必要性が生じた場合、あるいはプリント動作中に、コントローラ５１やプリンタ５０側でハードウエア上の問題が検出され、途中でイメージデータ８２の転送が不可能となった場合など、プリント処理を急遽中止する必要性が生じた場合に、プリント処理を中止する旨の指示を、イメージ転送要求管理部７３に出力する。
【００７３】
上記イメージ転送要求管理部７３は、図７のステップ１０３に示すように、コントローラ５１側からプリンタ５０にプリント指示コマンド８３を送付した後、当該プリンタ５０からイメージ要求ステータス８５を受け付けるまでの間に、プリント中止指示部７４からプリント処理を中止する旨の指示、つまりプリントをキャンセルした状況が発生したか否かを判別する。
【００７４】
図１２は、第２のジョブの１ページ目までのイメージデータが、プリンタ５０のプリント処理キュー部７７に送付された状態で、プリント中止指示部７４からプリント処理を中止する旨の指示を、イメージ転送要求管理部７３が受け付けた場合を示したものである。
【００７５】
図１２においては、第２のジョブの２ページ目をプリントするためのプリント指示コマンド８３がプリンタ５０に出力された後に、プリント中止指示部７４からプリント処理を中止する旨の指示をイメージ転送要求管理部７３が受けている。そして、上記プリント処理を中止する旨の指示を受け付けた後に、プリンタ５０からイメージ要求ステータス８５がコントローラ５１に出力されている。
【００７６】
そのため、上記コントローラ５１のイメージ転送要求管理部７３は、プリンタ５０からイメージ要求ステータス８５を受け付けると、上述した図７のステップ１０３に示すごとく、プリント中止指示部７４からプリント処理を中止する旨の指示、つまりプリントをキャンセルした状況が発生したか否かを判別するが、この場合には、プリント処理を中止する旨の指示が出されているため、イメージ転送要求管理部７３は、イメージ要求応答キャンセルコマンド８７をプリンタ５０に出力する。
【００７７】
すると、プリンタ５０のイメージ処理部８０は、図１１のステップ４０４において、プリンタ５０からの応答がイメージ要求応答キャンセルコマンド８７であることを判別し、キャンセルされたイメージ（第１のジョブの２ページ目）のプリントを中止する。
【００７８】
その際、上記イメージ処理部８０は、イメージ要求応答キャンセルコマンド８７の内容を解釈し、プリントの中止が図１２に示すように該当ページ以降すべてのプリントか、該当ページのみか、指定された複数のページのみのプリント中止かによって、指定されたプリント動作を中止する。
【００７９】
また、上記イメージ処理部８０は、イメージ転送要求管理部７３からのイメージ転送応答が、プリント処理を中止すべき応答である場合に、当該プリント処理を中止すべき応答で指定されたページのみを白紙で出力しても良いし、当該プリント処理を中止すべき応答で指定されたページのみを本来の画像と異なるイメージで出力しても良い。
【００８０】
さらに、上記イメージ処理部８０は、イメージ転送要求管理部７３からのイメージ転送応答が、プリント処理を中止すべき応答である場合に、当該プリント処理を中止すべき応答で指定されたページのプリントをスキップするように構成するとともに、前記イメージ転送要求部７８は、再度スキップしたイメージのイメージ転送要求を出力し、最初からすべてのページのプリント動作を実行するようにしても良い。
【００８１】
このように、上記実施の形態に係るデジタル複合機では、プリンタ５０からイメージデータの転送要求が送られてきた際に、プリント処理を中止すべき事情が発生していないかどうかを、イメージ転送要求管理部７３が判別し、プリント処理を中止すべき事情が発生していない場合にのみ、イメージ転送要求管理部７３がイメージの転送要求に応えるコマンドをプリンタ５０に出力し、更にイメージデータをプリンタ５０に出力するように構成されているので、ユーザの事情や画像に起因する原因、あるいはハードウエア上の問題など種々の事情によって、プリント処理を急遽中止する必要性が生じた場合に、プリント動作の中止処理を的確に行うことが可能となる。
【００８２】
実施の形態２
図１３及び図１４は、この発明の実施の形態２を示すものであり、前記実施の形態１と同一の部分には同一の符号を付して説明すると、この実施の形態２では、デジタル複合機において両面プリントを実行している際に、プリント動作を中止するように構成されている。
【００８３】
すなわち、この実施の形態２では、図１３に示すように、基本的に、上述した実施の形態１と同様にプリント処理が実行されるが、図１０のステップ３０２において、プリント処理キュー部７７内に格納されたプリント情報８２を参照して、コントローラ５１にイメージ要求ステータス８５を送付するとともに、プリント処理キュー部７７内に複数のプリント情報８２がある場合には、プリンタ５０の機構を考慮して、最適なイメージ要求ステータスをコントローラ５１に転送するようになっている。
【００８４】
その際、この実施の形態２では、両面プリントが指示されているため、プリンタ５０がコントローラ５１にイメージ要求ステータス８５を転送するときに、プリンタ５０は、当該プリンタ５０の機構を考慮して、最適なイメージ要求ステータス８５を転送するように構成されている。
【００８５】
上記プリンタ５０では、図３に示すように、片面に画像がプリントされた記録用紙２２の表裏を反転して、再度、図４に示すような画像形成部に搬送する際に、用紙の搬送を効率良く行い、プリントスピードをアップさせるように、２枚の記録用紙２２の裏面に連続して画像をプリントした後に、２枚の記録用紙２２の表面に連続して画像をプリントするように構成されている。そのため、上記プリンタ５０では、図１３に示すように、第１のジョブの２ページ目の裏面と、第２のジョブの１ページ目の裏面に、画像をプリントした後に、第１のジョブの２ページ目の表面のイメージデータを転送するように、コントローラ５１に対して、イメージ要求ステータス８５を転送するように構成されている。
【００８６】
ところで、上記コントローラ５１が第１のジョブの２ページ目の表面のイメージデータを転送要求を受け付けた場合に、プリント中止指示部７４からプリント処理を中止する旨の指示が出されていると、コントローラ５１のイメージ転送要求管理部７３は、プリンタ５０に対して、イメージ要求応答キャンセルコマンド８７を出力することになる。
【００８７】
このように、上記実施の形態２から理解されるように、コントローラ５１は、プリンタ５０からイメージ転送要求を受け付けた際に、プリント処理を中止すべき事情が発生しているか否かを判別すれば良く、プリント処理を中止すべき事情が発生したときに、プリンタ５０がどのような状態にあるかをいっさい考慮する必要がない、プリンタ５０の構成に依存せずに、プリントの中止処理を的確に実行することができる。
【００８８】
その結果、コントローラ５１やプリンタ５０を制御するプログラムを作成する際にも、プリンタ５０のハードウエア的な構成を考慮する必要がないので、プログラムの作成を容易に行うことができるとともに、汎用性の高い制御プログラムを作成することが可能となる。
【００８９】
その他の構成及び作用は、前記実施の形態１と同様であるので、その説明を省略する。
【図面の簡単な説明】
【００９０】
【図１】図１はこの発明の実施の形態１に係る画像形成装置としてのデジタル複合機の制御回路を示すブロック図である。
【図２】図２はこの発明の実施の形態１に係る画像形成装置としてのデジタル複合機の外観を示す構成図である。
【図３】図３はこの発明の実施の形態１に係る画像形成装置としてのデジタル複合機を示す構成図である。
【図４】図４はこの発明の実施の形態１に係る画像形成装置としてのデジタル複合機の画像形成部を示す構成図である。
【図５】図５はこの発明の実施の形態１に係る画像形成装置としてのデジタル複合機の制御回路を示すブロック図である。
【図６】図６はこの発明の実施の形態１に係る画像形成装置としてのデジタル複合機の動作を示す説明図である。
【図７】図７はこの発明の実施の形態１に係る画像形成装置としてのデジタル複合機の動作を示すフローチャートである。
【図８】図８はこの発明の実施の形態１に係る画像形成装置としてのデジタル複合機の動作を示すフローチャートである。
【図９】図９はこの発明の実施の形態１に係る画像形成装置としてのデジタル複合機の動作を示す説明図である。
【図１０】図１０はこの発明の実施の形態１に係る画像形成装置としてのデジタル複合機の動作を示すフローチャートである。
【図１１】図１１はこの発明の実施の形態１に係る画像形成装置としてのデジタル複合機の動作を示すフローチャートである。
【図１２】図１２はこの発明の実施の形態１に係る画像形成装置としてのデジタル複合機の動作を示す説明図である。
【図１３】図１３はこの発明の実施の形態２に係る画像形成装置としてのデジタル複合機の動作を示す説明図である。
【図１４】図１４はこの発明の実施の形態２に係る画像形成装置としてのデジタル複合機の動作を示す説明図である。
【図１５】図１５は従来の画像形成装置の動作を示すフローチャートである。
【図１６】図１６は従来の画像形成装置の動作を示すフローチャートである。
【符号の説明】
【００９１】
５０：プリンタ、５１：コントローラ、７０：画像生成部、７１：イメージ格納部、７３：イメージ転送要求管理部、７４：プリント中止指示部、７７：プリント処理キュー部、７８：イメージ転送要求部、８０：イメージ処理部。
【図１】
2005267069.tif 000003
【図２】
2005267069.tif 000004
【図３】
2005267069.tif 000005
【図４】
2005267069.tif 000006
【図５】
2005267069.tif 000007
【図６】
2005267069.tif 000008
【図７】
2005267069.tif 000009
【図８】
2005267069.tif 000010
【図９】
2005267069.tif 000011
【図１０】
2005267069.tif 000012
【図１１】
2005267069.tif 000013
【図１２】
2005267069.tif 000014
【図１３】
2005267069.tif 000015
【図１４】
2005267069.tif 000016
【図１５】
2005267069.tif 000017
【図１６】
2005267069.tif 000018